(57)【要約】【課題】使用された分離膜を再使用するために効率的に洗浄する洗浄条件を選定する。【解決手段】水処理装置において再使用される分離膜を洗浄する洗浄条件を選定する洗浄条件選定装置が、複数の分離膜を識別する分離膜識別情報と、分離膜が使用された後に性能が検査された検査結果とを対応付けて記憶し、検査結果に応じた検査結果条件と、検査結果条件に応じた分離膜の洗浄条件とを対応付けて記憶し、洗浄対象である分離膜を識別する分離膜識別情報の入力を受付け、入力された分離膜識別情報に対応付けられて記憶されている検査結果を読み出し、読み出した検査結果に対応する検査結果条件に対応付けられて記憶されている洗浄条件を、洗浄対象である分離膜の洗浄条件として選定する。【選択図】図２
2011212540.tif 000002
【特許請求の範囲】
【請求項１】
水処理装置において再使用される分離膜を洗浄する洗浄条件を選定する洗浄条件選定装置であって、
複数の前記分離膜を識別する分離膜識別情報と、当該分離膜が使用された後に性能が検査された検査結果とが対応付けられて記憶される検査結果記憶部と、
前記検査結果に応じた検査結果条件と、当該検査結果条件に応じた前記分離膜の洗浄条件とが対応付けられて記憶される洗浄条件記憶部と、
洗浄対象である前記分離膜を識別する前記分離膜識別情報の入力を受付ける入力部と、
前記入力部に入力された前記分離膜識別情報に対応付けられて前記検査結果記憶部に記憶されている前記検査結果を読み出し、読み出した当該検査結果に対応する前記検査結果条件に対応付けられて前記洗浄条件記憶部に記憶されている前記洗浄条件を、前記洗浄対象である前記分離膜の洗浄条件として選定する洗浄条件選定部と、
を備えることを特徴とする洗浄条件選定装置。
【請求項２】
前記検査結果記憶部に記憶される前記検査結果には、前記分離膜のフラックスと差圧とを示す情報が含まれ、
前記洗浄条件記憶部は、
フラックスと差圧とが含まれる前記検査結果条件に応じた前記洗浄条件として、前記分離膜の洗浄に用いる洗浄薬品の強度を示す洗浄薬品強度条件が記憶される洗浄薬品強度条件記憶部と、
フラックスと差圧とが含まれる検査結果条件に応じた前記洗浄条件として、前記分離膜の洗浄時間を示す洗浄時間条件が記憶される洗浄時間条件記憶部と、
を備えることを特徴とする請求項１に記載の洗浄条件選定装置。
【請求項３】
洗浄薬品強度条件記憶部に記憶されている前記洗浄薬品強度条件には、前記フラックスと前記差圧とに応じて前記分離膜の洗浄に用いる酸薬品の強度を示す情報と、アルカリ薬品の強度を示す情報とが含まれ、
洗浄時間条件記憶部に記憶されている前記洗浄時間条件には、前記フラックスと前記差圧とに応じて前記分離膜を前記酸薬品により洗浄する洗浄時間と、前記アルカリ薬品により洗浄する洗浄時間とが含まれる
ことを特徴とする請求項２に記載の洗浄条件選定装置。
【請求項４】
前記洗浄条件選定部によって選定された前記洗浄条件に基づいて前記分離膜を洗浄する洗浄システムを動作させる制御信号を当該洗浄システムに送信する制御信号送信部
をさらに備えることを特徴とする請求項１から請求項３までのいずれか１項に洗浄条件選定装置。
【請求項５】
水処理装置において再使用される複数の分離膜を識別する分離膜識別情報と、当該分離膜が使用された後に性能が検査された検査結果とが対応付けられて記憶される検査結果記憶部と、前記検査結果に応じた検査結果条件と、当該検査結果条件に応じた前記分離膜の洗浄条件とが対応付けられて記憶される洗浄条件記憶部とを備えた洗浄条件選定装置による洗浄条件選定方法であって、
洗浄対象である前記分離膜を識別する前記分離膜識別情報の入力を受付けるステップと、
入力された前記分離膜識別情報に対応付けられて前記検査結果記憶部に記憶されている前記検査結果を読み出し、読み出した当該検査結果に対応する前記検査結果条件に対応付けられて前記洗浄条件記憶部に記憶されている前記洗浄条件を、前記洗浄対象である前記分離膜の洗浄条件として選定するステップと
を備えることを特徴とする洗浄条件選定方法。
【発明の詳細な説明】
【技術分野】
【０００１】
本発明は、水処理装置において再使用される分離膜を洗浄する技術に関する。
【背景技術】
【０００２】
水を扱う工場などにおいて、水をろ過する分離膜を用いた水処理装置が利用されている。図１１は、このような分離膜であるスパイラル型のＲＯ膜（逆浸透膜：Reverse Osmosis Membrane）を有する分離膜エレメント６の例を示す図である。分離膜エレメント６は、透過水集水用のセンターパイプ５に分離膜２をスパイラル状に捲装した構造となっており、分離膜はこのような単位で扱われる。分離膜エレメント６に対して符号ａに示す箇所から水が供給されると、分離膜２を透過した透過水は、センターパイプ５に集水され取り出される。分離膜２を透過しなかった濃縮水は、スパイラル状の分離膜２の膜間を通過し、符号ｂに示す箇所から排出される。
図１２は、このような分離膜エレメント６を用いたろ過装置を示す図である。ここでは、ベッセル（圧力容器）７に、４本の分離膜エレメント６が直列に充填されている。各分離膜エレメント６は、ブラインシール３によってベッセル７内に区画され、コネクタ４によって直列に接続される。ベッセル７に供給水が供給されると、複数のＲＯ膜２を順次透過した透過水が、センターパイプ５から取り出される。分離膜エレメント６を透過しなかった濃縮水は、濃縮水出口６から排水される。特許文献１には、このようなろ過装置において使用される分離膜を再使用する際に、定められた方法により洗浄する技術が提案されている。
【先行技術文献】
【特許文献】
【０００３】
【特許文献１】特開２００５−２７０７９４号公報
【発明の概要】
【発明が解決しようとする課題】
【０００４】
しかしながら、特許文献１に記載の技術は、使用後の分離膜の性能に関わらず一定の洗浄条件により分離膜を洗浄し、性能を回復させようとするものである。ここで、分離膜は、例えば使用される水処理装置の原水の含有成分、使用時間、使用箇所などにより汚染状況がことなる。このため、一定の洗浄条件により分離膜を洗浄する場合には、洗浄に過不足が存在する場合があると考えられる。例えば、洗浄のための薬品を過剰に使用したり、このために徒に膜の劣化を促進したり、逆に薬品が足りておらずに分離膜の性能が回復していなかったりすることがあると考えられる。そこで、分離膜の使用状況に応じた適切な分離膜の洗浄条件を選定し、洗浄することが望ましい。
【０００５】
本発明は、このような状況に鑑みてなされたもので、使用された分離膜を再使用するために効率的に洗浄する洗浄条件を選定する洗浄条件選定装置、洗浄条件選定方法を提供することを目的とする。
【課題を解決するための手段】
【０００６】
本発明は、水処理装置において再使用される分離膜を洗浄する洗浄条件を選定する洗浄条件選定装置であって、複数の分離膜を識別する分離膜識別情報と、分離膜が使用された後に性能が検査された検査結果とが対応付けられて記憶される検査結果記憶部と、検査結果に応じた検査結果条件と、検査結果条件に応じた分離膜の洗浄条件とが対応付けられて記憶される洗浄条件記憶部と、洗浄対象である分離膜を識別する分離膜識別情報の入力を受付ける入力部と、入力部に入力された分離膜識別情報に対応付けられて検査結果記憶部に記憶されている検査結果を読み出し、読み出した検査結果に対応する検査結果条件に対応付けられて洗浄条件記憶部に記憶されている洗浄条件を、洗浄対象である分離膜の洗浄条件として選定する洗浄条件選定部と、を備えることを特徴とする。（請求項１）
【０００７】
また、本発明の洗浄条件選定装置は、検査結果記憶部に記憶される検査結果には、分離膜のフラックスと差圧とを示す情報が含まれ、洗浄条件記憶部は、フラックスと差圧とが含まれる検査結果条件に応じた洗浄条件として、分離膜の洗浄に用いる洗浄薬品の強度を示す洗浄薬品強度条件が記憶される洗浄薬品強度条件記憶部と、フラックスと差圧とが含まれる検査結果条件に応じた洗浄条件として、分離膜の洗浄時間を示す洗浄時間条件が記憶される洗浄時間条件記憶部と、を備えることを特徴とする。（請求項２）
【０００８】
また、本発明の洗浄条件選定装置は、洗浄薬品強度条件記憶部に記憶されている洗浄薬品強度条件には、フラックスと差圧とに応じて分離膜の洗浄に用いる酸薬品の強度を示す情報と、アルカリ薬品の強度を示す情報とが含まれ、洗浄時間条件記憶部に記憶されている洗浄時間条件には、フラックスと差圧とに応じて分離膜を酸薬品により洗浄する洗浄時間と、アルカリ薬品により洗浄する洗浄時間とが含まれることを特徴とする。（請求項３）
【０００９】
また、本発明の洗浄条件選定装置は、洗浄条件選定部によって選定された洗浄条件に基づいて分離膜を洗浄する洗浄システムを動作させる制御信号を洗浄システムに送信する制御信号送信部をさらに備えることを特徴とする。（請求項４）
【００１０】
また、本発明の洗浄条件選定方法は、水処理装置において再使用される複数の分離膜を識別する分離膜識別情報と、分離膜が使用された後に性能が検査された検査結果とが対応付けられて記憶される検査結果記憶部と、検査結果に応じた検査結果条件と、検査結果条件に応じた分離膜の洗浄条件とが対応付けられて記憶される洗浄条件記憶部とを備えた洗浄条件選定装置による洗浄条件選定方法であって、洗浄対象である分離膜を識別する分離膜識別情報の入力を受付けるステップと、入力された分離膜識別情報に対応付けられて検査結果記憶部に記憶されている検査結果を読み出し、読み出した検査結果に対応する検査結果条件に対応付けられて洗浄条件記憶部に記憶されている洗浄条件を、洗浄対象である分離膜の洗浄条件として選定するステップとを備えることを特徴とする。（請求項５）
【発明の効果】
【００１１】
以上説明したように、本発明によれば、水処理装置において再使用される分離膜を洗浄する洗浄条件を選定する洗浄条件選定装置が、複数の分離膜を識別する分離膜識別情報と、分離膜が使用された後に性能が検査された検査結果とを対応付けて記憶し、検査結果に応じた検査結果条件と、検査結果条件に応じた分離膜の洗浄条件とを対応付けて記憶し、洗浄対象である分離膜を識別する分離膜識別情報の入力を受付け、入力された分離膜識別情報に対応付けられて記憶されている検査結果を読み出し、読み出した検査結果に対応する検査結果条件に対応付けられて記憶されている洗浄条件を、洗浄対象である分離膜の洗浄条件として選定するようにしたので、使用された分離膜の検査結果に応じた効率的な洗浄条件を選定することができる。
【図面の簡単な説明】
【００１２】
【図１】本発明の洗浄方法選定装置に接続した洗浄システムの構成例を示す図である。
【図２】本発明の洗浄条件選定装置の構成例を示すブロック図である。
【図３】本発明の一実施形態による検査結果のデータ例を示す図である。
【図４】本発明の一実施形態による洗浄薬品強度条件のデータ例を示す図である。
【図５】本発明の一実施形態による洗浄時間条件のデータ例を示す図である。
【図６】本発明の一実施形態により選定された選定洗浄条件のデータ例を示す図である。
【図７】本発明の一実施形態の洗浄条件選定処理の例を示すフローチャートである。
【図８】本発明の一実施形態のアルカリ薬品の洗浄条件選定処理の例を示すフローチャートである。
【図９】本発明の一実施形態の酸薬品の洗浄条件選定処理の例を示すフローチャートである。
【図１０】本発明の一実施形態による洗浄制御処理の例を示すフローチャートである。
【図１１】分離膜の例を示す図である。
【図１２】分離膜を用いたろ過装置の例を示す図である。
【発明を実施するための形態】
【００１３】
以下、本発明の一実施形態について、図面を参照して説明する。図１は、本実施形態により再使用される分離膜を洗浄する洗浄システム１を示す図である。洗浄システム１は、アルカリ薬品タンク１０と、流量コントローラ１１と、ポンプ１２と、バルブ１３と、酸薬品タンク２０と、流量コントローラ２１と、ポンプ２２と、バルブ２３と、洗浄用水タンク３０と、流量コントローラ３１と、ポンプ３２と、バルブ３３と、洗浄液タンク４０と、流量コントローラ４１と、ポンプ４２と、バルブ４３と、洗浄の対象である分離膜を有する洗浄ベッセル５０と、バルブ５１と、排水ピット５２と、バルブ５３と、排水ピット５４と、洗浄条件選定装置１００とを備えている。
【００１４】
アルカリ薬品タンク１０は、洗浄ベッセル５０を洗浄するアルカリ薬品を貯留する貯槽である。流量コントローラ１１は、洗浄条件選定装置１００から送信される制御信号に応じて、ポンプ１２に制御信号を送信して動作させる。ポンプ１２は、流量コントローラ１１から送信される制御信号に応じてモーターを駆動させ、アルカリ薬品タンク１０に貯留されたアルカリ薬品を吸い上げる。バルブ１３は、洗浄条件選定装置１００から送信される制御信号に応じて開閉し、ポンプ１２によって吸い上げられたアルカリ薬品の流れを制御する弁である。すなわち、アルカリ薬品タンク１０に貯留されたアルカリ薬品は、流量コントローラ１１から送信される制御信号に応じて動作するポンプ１２に吸い上げられ、バルブ１３を介して洗浄液タンク４０に貯留される。
【００１５】
同様に、酸薬品タンク２０は、洗浄ベッセル５０を洗浄する酸薬品を貯留する貯槽である。酸薬品タンク２０に貯留された酸薬品は、流量コントローラ２１から送信される制御信号に応じて動作するポンプ２２に吸い上げられ、バルブ２３を介して洗浄液タンク４０に貯留される。
洗浄用水タンク３０は、洗浄ベッセル５０を洗浄する酸薬品やアルカリ薬品を希釈する洗浄用水を貯留する貯槽である。洗浄用水タンク３０に貯留された洗浄用水は、流量コントローラ３１から送信される制御信号に応じて動作するポンプ３２によって吸い上げられ、バルブ３３を介して洗浄液タンク４０に貯留される。
【００１６】
洗浄液タンク４０は、洗浄ベッセル５０を洗浄する洗浄液を貯留する貯槽である。洗浄液タンク４０に貯留された洗浄液は、流量コントローラ４１から送信される制御信号に応じて動作するポンプ４２によって吸い上げられ、バルブ４３を介して洗浄ベッセル５０に供給される。
洗浄ベッセル５０は、洗浄対象の分離膜を有するろ過装置である。洗浄ベッセル５０では、供給される供給水が分離膜により透過され、バルブ５３を介して透過水が排水される。排水された透過水は、排水ピット５４に貯留される。洗浄ベッセル５０の分離膜で透過しなかった濃縮水は、バルブ５１を介して排水され、排水ピット５２に貯留される。
【００１７】
洗浄条件選定装置１００は、洗浄システム１が備える各部に制御信号を送信して動作させ、洗浄ベッセル５０を洗浄させる洗浄制御を行うコンピュータ装置である。図２は、洗浄条件選定装置１００の構成を示すブロック図である。洗浄条件選定装置１００は、入力部１１０と、検査結果記憶部１２０と、洗浄条件記憶部１３０と、選定洗浄条件記憶部１４０と、洗浄条件選定部１５０と、制御信号送信部１６０とを備えている。
入力部１１０は、キーボードやマウスなどの入力デバイスであり、ユーザからのデータ入力を受付ける。例えば、入力部１１０には、洗浄対象である分離膜を識別する分離膜識別情報（膜ＩＤ）などが入力される。
【００１８】
検査結果記憶部１２０には、分離膜を識別する分離膜識別情報と、水処理装置において分離膜が使用された後に性能が検査された検査結果が記憶される。ここで、検査結果記憶部１２０に記憶される検査結果には、分離膜のフラックスと差圧とを示す情報が含まれる。図３は、検査結果記憶部１２０に記憶される検査結果のデータ例を示す図である。検査結果記憶部１２０には、分離膜を識別する分離膜識別情報である膜ＩＤごとに、検査結果であるフラックスおよび差圧の値と、検査された日付との情報が対応付けられて記憶される。フラックスは、分離膜の単位膜面積当たりの１日当たりのろ過水流量である。差圧は、分離膜に対する供給側の圧力と、濃縮水が排水される排水側の圧力との差である。これらの検査結果は、再使用の対象である分離膜が使用された後に行われた性能の検査に応じて入力され、記憶される。
【００１９】
洗浄条件記憶部１３０には、使用された分離膜の性能の検査結果と、その検査結果の値に応じた分離膜の洗浄条件とが対応付けられて記憶される。ここでは、洗浄条件記憶部１３０は、洗浄条件である洗浄薬品強度条件が記憶されている洗浄薬品強度条件記憶部１３１と、洗浄条件である洗浄時間条件が記憶されている洗浄時間条件記憶部１３２とを備えている。
【００２０】
洗浄薬品強度条件記憶部１３１には、分離膜のフラックスと差圧とに応じて分離膜の洗浄に用いる洗浄薬品の強度を示す洗浄薬品強度条件が記憶される。ここで、洗浄薬品強度条件記憶部１３１に記憶されている洗浄薬品強度条件には、分離膜の洗浄に用いる酸薬品の強度（ｐＨ）を示す情報と、アルカリ薬品の強度（ｐＨ）を示す情報とが含まれる。図４は、洗浄薬品強度条件記憶部１３１に記憶される洗浄薬品強度条件のデータ例を示す図である。ここでは、例えば、差圧が０．６ＭＰａ超であり、フラックスが０．８ｍ３／ｍ２／ｄ未満である場合には、洗浄する酸薬品のｐＨが３．２であり、洗浄するアルカリ薬品のｐＨが１２．４であることを示している。このように、一般的には、差圧の値が低ければ酸洗浄の強度を上げ、差圧の値が高ければ酸洗浄の強度を下げるように設定する。また、フラックスが高ければアルカリ洗浄の強度を下げ、フラックスが低ければアルカリ洗浄の強度を上げるように設定する。ここで、強度を上げるとは、ｐＨの値を高くすることをいい、強度を下げるとは、ｐＨの値を低くすることをいう。
【００２１】
洗浄時間条件記憶部１３２には、使用された分離膜のフラックスと差圧とに応じた分離膜の洗浄時間を示す洗浄時間条件が記憶される。ここで、洗浄時間条件記憶部１３２に記憶されている洗浄時間条件には、フラックスと差圧とに応じた、分離膜を酸薬品により洗浄する洗浄時間と、アルカリ薬品により洗浄する洗浄時間とが含まれる。図５は、洗浄時間条件記憶部１３２に記憶される洗浄時間条件のデータ例を示す図である。ここでは、例えば、差圧が０．６ＭＰａ超であり、フラックスが０．８ｍ３／ｍ２／ｄ未満である場合には、酸薬品による洗浄時間が６（時間）であり、アルカリ薬品による洗浄時間が４（時間）であることを示している。このように、一般的には、差圧が低ければ酸洗浄時間を下げ、差圧が高ければ酸洗浄時間を上げるように設定する。また、フラックスが高ければアルカリ洗浄時間を下げ、フラックスが低ければアルカリ洗浄時間を上げるように設定する。
このように、フラックスと差圧との関係に応じて、分離膜の性能劣化の原因を推定し、推定に応じた洗浄条件を設定して洗浄条件記憶部１３０に記憶させておく。ただし、洗浄薬品強度条件および洗浄時間条件は、分離膜の差圧とフラックスをパラメータとした関係式を予め記憶し、記憶した関係式を用いて算出するようにしてもよい。
【００２２】
選定洗浄条件記憶部１４０には、洗浄対象である膜ＩＤ毎に、検査結果に応じて洗浄条件選定部１５０によって選定された選定洗浄条件が記憶される。図６は、選定洗浄条件記憶部１４０に記憶される選定洗浄条件のデータ例を示す図である。ここでは、例えば、膜ＩＤが「０００１」である分離膜に対しては、ｐＨが５．７である酸薬品によって、３時間の洗浄を行い、またｐＨが１０．８であるアルカリ薬品によって、３時間の洗浄を行うことが示されている。日付は、検査が行われた日付であり、検査結果記憶部１２０に記憶されている日付と同一である。
洗浄条件選定部１５０は、検査結果記憶部１２０から、膜ＩＤ毎に対応する検査結果を読み出し、読み出した検査結果に対応する洗浄条件を洗浄条件記憶部１３０から読み出して、対応する分離膜エレメントの洗浄条件として選定する。
【００２３】
制御信号送信部１６０は、選定洗浄条件記憶部１４０に記憶された選定洗浄条件に基づいて、洗浄システム１の各部に制御信号を送信して動作させる洗浄制御を行う。例えば、制御信号送信部１６０は、流量コントローラ１１と、流量コントローラ２１と、流量コントローラ３１と、流量コントローラ４１と、バルブ１３と、バルブ２３と、バルブ３３と、バルブ４３と、バルブ５１と、バルブ５３とに制御信号を送信して動作させる。これにより、洗浄システム１の各部が動作し、洗浄ベッセル５０の分離膜が洗浄される。制御信号送信部１６０は、例えば、選定洗浄条件記憶部１４０に記憶されている膜ＩＤ毎に、連続して洗浄制御を順次行っても良いし、定められた一定時間間隔毎に行っても良い。あるいは、例えば、ユーザによって入力部１１０に入力される洗浄開始命令などに応じて、分離膜の洗浄を開始するようにしても良い。このとき、例えば、制御信号送信部１６０は、洗浄ベッセル５０に対する酸薬品による洗浄を行った後に、アルカリ薬品による洗浄制御を行う。
【００２４】
次に、本実施形態による洗浄条件選定装置１００の動作例を説明する。図７は、洗浄条件選定装置１００が洗浄条件を選定する動作例を示すフローチャートである。
入力部１１０は、洗浄対象の分離膜の膜ＩＤの入力を受付ける（ステップＳ１）。洗浄条件選定部１５０は、入力された膜ＩＤに対応する検査結果を、洗浄条件記憶部１３０から読み出す（ステップＳ２）。そして、洗浄条件選定部１５０は、読み出した検査結果に対応する洗浄条件を洗浄条件記憶部１３０から読み出し、選定洗浄条件記憶部１４０に記憶させる。例えば、洗浄条件選定部１５０は、検査結果に対応する洗浄時間条件を洗浄時間条件記憶部１３２から読み出し、選定洗浄条件記憶部１４０に記憶させる（ステップＳ３）。また、検査結果に対応する洗浄薬品強度条件を洗浄薬品強度条件記憶部１３１から読み出し、選定洗浄条件記憶部１４０に記憶させる（ステップＳ４）。このように、洗浄条件選定部１５０は、洗浄条件を選定して選定洗浄条件記憶部１４０に記憶させ、処理を終了する。
【００２５】
ここで、図３〜５に示した検査結果、洗浄時間条件、洗浄薬品強度条件に対応する洗浄条件の選定処理例を説明する。
図８は、アルカリ薬品による洗浄に関する洗浄条件選定処理の例を示すフローチャートである。洗浄条件選定部１５０は、検査結果記憶部１２０から、洗浄対象の膜ＩＤに対応するフラックスを読み出し、フラックス（ｍ３／ｍ２／ｄ）の値が、０．８未満であるか、０．８〜１．２の範囲内であるか、１．２超であるかを判定する（ステップＳ１１）。ここで、洗浄条件選定部１５０が、フラックス（ｍ３／ｍ２／ｄ）の値が０．８未満であると判定すると、膜ＩＤに対応する選定洗浄条件のアルカリ洗浄ｐＨに１２．４を対応付けて、選定洗浄条件記憶部１４０に登録する（ステップＳ１２）。また、膜ＩＤに対応する選定洗浄条件のアルカリ洗浄時間に４を対応付けて、選定洗浄条件記憶部１４０に登録する（ステップＳ１３）。
【００２６】
ステップＳ１１において、洗浄条件選定部１５０が、フラックス（ｍ３／ｍ２／ｄ）の値が０．８〜１．２の範囲内であると判定すると、膜ＩＤに対応する選定洗浄条件のアルカリ洗浄ｐＨに１０．８を対応付けて、選定洗浄条件記憶部１４０に登録する（ステップＳ１４）。また、膜ＩＤに対応する選定洗浄条件のアルカリ洗浄時間（ｈｒ）に３を対応付けて、選定洗浄条件記憶部１４０に登録する（ステップＳ１５）。あるいは、ステップＳ１１において、洗浄条件選定部１５０が、フラックス（ｍ３／ｍ２／ｄ）の値が１．２超であると判定すると、膜ＩＤに対応する選定洗浄条件のアルカリ洗浄ｐＨに９．２を対応付けて、選定洗浄条件記憶部１４０に登録する（ステップＳ１６）。また、膜ＩＤに対応する選定洗浄条件のアルカリ洗浄時間（ｈｒ）に２を対応付けて、選定洗浄条件記憶部１４０に登録する（ステップＳ１７）。洗浄条件選定部１５０は、このように、アルカリ薬品による洗浄に関する洗浄条件選定処理を行う。
【００２７】
図９は、酸薬品による洗浄に関する洗浄条件選定処理の例を示すフローチャートである。洗浄条件選定部１５０は、検査結果記憶部１２０から、洗浄対象の膜ＩＤに対応する差圧を読み出し、差圧（ＭＰａ）の値が、０．２未満であるか、０．２〜０．６の範囲内であるか、０．６超であるかを判定する（ステップＳ２１）。ここで、洗浄条件選定部１５０が、差圧（ＭＰａ）の値が０．２未満であると判定すると、膜ＩＤに対応する選定洗浄条件の酸洗浄ｐＨに５．７を対応付けて、選定洗浄条件記憶部１４０に登録する（ステップＳ２２）。また、洗浄条件選定部１５０は、フラックス（ｍ３／ｍ２／ｄ）の値を判定し（ステップＳ２３）、フラックス（ｍ３／ｍ２／ｄ）の値が０．８未満であれば酸洗浄時間（ｈｒ）に４を対応付けて選定洗浄条件記憶部１４０に登録し（ステップＳ２４）、フラックス（ｍ３／ｍ２／ｄ）の値が０．８〜１．２の範囲内であれば酸洗浄時間（ｈｒ）に３を対応付けて選定洗浄条件記憶部１４０に登録し（ステップＳ２５）、フラックス（ｍ３／ｍ２／ｄ）の値が１．２超であれば酸洗浄時間（ｈｒ）に２を対応付けて選定洗浄条件記憶部１４０に登録する（ステップＳ２６）。
【００２８】
ステップＳ２１において、洗浄条件選定部１５０が、差圧（ＭＰａ）の値が０．２〜０．６の範囲内であると判定すると、膜ＩＤに対応する選定洗浄条件の酸洗浄ｐＨに４．５を対応付けて、選定洗浄条件記憶部１４０に登録する（ステップＳ３１）。また、洗浄条件選定部１５０は、フラックス（ｍ３／ｍ２／ｄ）の値を判定し（ステップＳ３２）、フラックス（ｍ３／ｍ２／ｄ）の値が０．８未満であれば酸洗浄時間（ｈｒ）に５を対応付けて選定洗浄条件記憶部１４０に登録し（ステップＳ３３）、フラックス（ｍ３／ｍ２／ｄ）の値が０．８〜１．２の範囲内であれば酸洗浄時間（ｈｒ）に４を対応付けて選定洗浄条件記憶部１４０に登録し（ステップＳ３４）、フラックス（ｍ３／ｍ２／ｄ）の値が１．２超であれば酸洗浄時間（ｈｒ）に３を対応付けて選定洗浄条件記憶部１４０に登録する（ステップＳ３５）。
【００２９】
ステップＳ２１において、洗浄条件選定部１５０が、差圧（ＭＰａ）の値が０．６超であると判定すると、膜ＩＤに対応する選定洗浄条件の酸洗浄ｐＨに３．２を対応付けて、選定洗浄条件記憶部１４０に登録する（ステップＳ４１）。また、洗浄条件選定部１５０は、フラックス（ｍ３／ｍ２／ｄ）の値を判定し（ステップＳ４２）、フラックス（ｍ３／ｍ２／ｄ）の値が０．８未満であれば酸洗浄時間（ｈｒ）に６を対応付けて選定洗浄条件記憶部１４０に登録し（ステップＳ４３）、フラックス（ｍ３／ｍ２／ｄ）の値が０．８〜１．２の範囲内であれば酸洗浄時間（ｈｒ）に５を対応付けて選定洗浄条件記憶部１４０に登録し（ステップＳ４４）、フラックス（ｍ３／ｍ２／ｄ）の値が１．２超であれば酸洗浄時間（ｈｒ）に４を対応付けて選定洗浄条件記憶部１４０に登録する（ステップＳ４５）。洗浄条件選定部１５０は、このように、酸薬品による洗浄に関する洗浄条件選定処理を行う。
【００３０】
図１０は、洗浄条件選定装置１００による洗浄制御処理の動作例を示すフローチャートである。
入力部１１０は、洗浄実行対象の分離膜の膜ＩＤの入力を受付ける（ステップＳ５０）。制御信号送信部１６０は、入力された膜ＩＤに対応する選定洗浄条件を選定洗浄条件記憶部１４０から読み出す。制御信号送信部１６０は、選定洗浄条件に含まれるアルカリ洗浄ｐＨの値に応じて、流量コントローラ１１とバルブ１３とに制御信号を送信してポンプ１２とバルブ１３とを動作させ、定められた量のアルカリ薬品を洗浄液タンク４０に送液させる（ステップＳ５１）。また、制御信号送信部１６０は、流量コントローラ３１とバルブ３３とに制御信号を送信してポンプ３２とバルブ３３とを動作させ、定められた量の洗浄用水を洗浄液タンク４０に送液させ、アルカリ洗浄ｐＨの値に応じてアルカリ薬品を希釈させる（ステップＳ５２）。制御信号送信部１６０は、流量コントローラ４１とバルブ４３とに制御信号を送信してポンプ４２とバルブ４３とを動作させ、選定洗浄条件に含まれるアルカリ洗浄時間（ｈｒ）に応じて、洗浄液タンク４０に貯留された洗浄液を洗浄ベッセル５０に供給する（ステップＳ５３）。そして、制御信号送信部１６０は、バルブ５１とバルブ５３とに制御信号を送信して、洗浄ベッセル内の洗浄液を排水ピット５２または排水ピット５４に排水する（ステップＳ５４）。
【００３１】
アルカリ薬品による洗浄が完了すると、制御信号送信部１６０は、選定洗浄条件に含まれる酸洗浄ｐＨの値に応じて、流量コントローラ２１とバルブ２３とに制御信号を送信してポンプ２２とバルブ２３とを動作させ、定められた量の酸薬品を洗浄液タンク４０に送液させる（ステップＳ５５）。また、制御信号送信部１６０は、流量コントローラ３１とバルブ３３とに制御信号を送信してポンプ３２とバルブ３３とを動作させ、定められた量の洗浄用水を洗浄液タンク４０に送液させ、酸洗浄ｐＨの値に応じて酸薬品を希釈させる（ステップＳ５６）。制御信号送信部１６０は、流量コントローラ４１とバルブ４３とに制御信号を送信してポンプ４２とバルブ４３とを動作させ、選定洗浄条件に含まれる酸洗浄時間（ｈｒ）に応じて、洗浄液タンク４０に貯留された洗浄液を洗浄ベッセル５０に供給する（ステップＳ５７）。そして、制御信号送信部１６０は、バルブ５１とバルブ５３とに制御信号を送信して、洗浄ベッセル内の洗浄液を排水ピット５２または排水ピット５４に排水する（ステップＳ５８）。このように、洗浄条件選定装置１００は、洗浄システム１が備える各部に制御信号を送信して、洗浄ベッセル５０の分離膜を洗浄させる。
【００３２】
なお、本実施形態では、洗浄条件選定装置１００が、洗浄システム１の各部に制御信号を送信して洗浄ベッセルを洗浄させる例を説明したが、洗浄条件選定部１５０が選定した選定洗浄条件を、例えば洗浄条件選定装置１００が備える表示部に表示させて処理を終了するようにしても良い。この場合、洗浄条件選定装置１００の表示部に表示された洗浄条件を管理者等のユーザが確認し、確認した選定方法に基づいて洗浄ベッセル５０の洗浄を行うことができる。
【００３３】
また、洗浄条件記憶部１３０に記憶させる洗浄条件は、例えば、再使用する分離膜が使用されていた原水の種類に応じて異なる値を予め定め、複数の洗浄条件テーブルを記憶させておくようにしても良い。この場合、例えば、原水に含まれるマグネシウム、カルシウム、シリカなどのスケール原因物質や、微生物や有機物などのスライム原因物質など、フィルタの性能を低下させるファウリング原因物質の量に応じて異なる洗浄条件テーブルを予め記憶させておき、洗浄条件を決定するようにしても良い。また、洗浄条件記憶部１３０には、例えば、差圧とフラックスとに応じて使用する洗浄薬品を対応付けた洗浄条件を記憶させるようにしても良い。
【００３４】
以上説明したように、本実施形態によれば、使用後の分離膜の差圧とフラックスとに基づいて、分離膜が使用された原水の環境に応じた最適な洗浄条件を選定することが可能となる。これにより、分離膜に適切な性能を回復させることができる。また、洗浄のために薬品を過剰にすることなく、また過剰な洗浄により分離膜を劣化させることを防ぐことができる。
【００３５】
なお、本発明における処理部の機能を実現するためのプログラムをコンピュータ読み取り可能な記録媒体に記録して、この記録媒体に記録されたプログラムをコンピュータシステムに読み込ませ、実行することにより洗浄制御を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３６】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３７】
１  洗浄システム
１０  アルカリ薬品タンク
１１  流量コントローラ
１２  ポンプ
１３  バルブ
２０  酸薬品タンク
２１  流量コントローラ
２２  ポンプ
２３  バルブ
３０  洗浄用水タンク
３１  流量コントローラ
３２  ポンプ
３３  バルブ
４０  洗浄液タンク
４１  流量コントローラ
４２  ポンプ
４３  バルブ
５０  洗浄ベッセル
５１  バルブ
５２  排水ピット
５３  バルブ
５４  排水ピット
１００  洗浄条件選定装置
１１０  入力部
１２０  検査結果記憶部
１３０  洗浄条件記憶部
１３１  洗浄薬品強度条件記憶部
１３２  洗浄時間条件記憶部
１４０  選定洗浄条件記憶部
１５０  洗浄条件選定部
１６０  制御信号送信部
【図１】
2011212540.tif 000003
【図２】
2011212540.tif 000004
【図３】
2011212540.tif 000005
【図４】
2011212540.tif 000006
【図５】
2011212540.tif 000007
【図６】
2011212540.tif 000008
【図７】
2011212540.tif 000009
【図８】
2011212540.tif 000010
【図９】
2011212540.tif 000011
【図１０】
2011212540.tif 000012
【図１１】
2011212540.tif 000013
【図１２】
2011212540.tif 000014